(57)【要約】【課題】調光フィルムを含む調光部が調光部を支持する支持部に対して相対的に移動する調光装置への採用が好適な給電構造を有した調光装置を提供する。【解決手段】２つの電極層に挟まれた調光層を含む内側調光部１１と、第１方向Ｄ１に沿って延びる上枠部１３ａを含む窓枠１３であって、内側調光部１１が上枠部１３ａに沿って窓枠１３に対して相対的に移動することが可能な状態で内側調光部１１を支持する窓枠１３と、窓枠１３に含まれて電源に接続された２つの給電用端子と、内側調光部１１に含まれた２つの受電用端子であって、各給電用端子に１つずつ対応付けられ、２つの給電用端子から受ける電圧を電極層間に印加する２つの受電用端子とを備える。【選択図】図１
2018151417.tif 000002
【特許請求の範囲】
【請求項１】
２つの電極層に挟まれた調光層を含む調光部と、
１つの方向に沿って延びる支持要素を含む支持部であって、前記調光部が前記支持要素に沿って前記支持部に対して相対的に移動することが可能な状態で前記調光部を支持する前記支持部と、
前記支持部に含まれて電源に接続された２つの給電用端子と、
前記調光部に含まれる２つの受電用端子であって、前記各給電用端子に１つずつ対応付けられ、前記２つの給電用端子から受ける電圧を前記電極層間に印加する２つの受電用端子と、を備える
調光装置。
【請求項２】
前記支持部は、前記給電用端子を端部に１つずつ含む給電用インダクターを含み、
前記調光部は、前記受電用端子を端部に１つずつ含むとともに、前記給電用インダクターへの交流の供給によって電磁誘導が生じる受電用インダクターを含む
請求項１に記載の調光装置。
【請求項３】
前記給電用インダクターは、給電用コイルであり、
前記受電用インダクターは、受電用コイルであり、
前記給電用コイルは、前記支持要素に位置するとともに、前記支持部に対して相対移動する前記調光部に向けて開口し、
前記受電用コイルは、前記給電用コイルと対向する開口を有する
請求項２に記載の調光装置。
【請求項４】
前記支持部は、前記支持要素を含む枠状体であり、
前記調光層は、前記支持部が取り囲む領域において二次元に広がり、
前記給電用インダクターは、前記支持部の周方向に沿って少なくとも１周巻かれた平面コイルであり、
前記受電用インダクターは、前記調光層に沿って広がるとともに、少なくとも１周巻かれた平面コイルである
請求項２に記載の調光装置。
【請求項５】
前記２つの電極層のなかの一方が第１電極層であり、
前記２つの電極層のなかの他方が第２電極層であり、
前記調光部は、前記第１電極層と同一の平面上に位置する抵抗素子をさらに含み、
前記２つの受電用端子には、前記調光層が前記第１電極層と前記第２電極層とに挟まれた直列回路と、前記抵抗素子との並列回路が接続されている
請求項２から４のいずれか一項に記載の調光装置。
【請求項６】
前記調光部は、前記１つの方向に沿って延びる開環筒状を有して前記支持要素を囲むとともに、前記支持要素に沿った移動が可能な状態で前記支持要素に支持される被案内部を含み、
前記各受電用端子は、前記１つの方向に沿って延びる帯状を有する受電用電極であり、
前記各受電用電極は、前記被案内部のうち、前記支持要素と対向する２つの面に１つずつ位置し、
前記各給電用端子は、前記支持要素に位置するとともに、互いに異なる１つの前記受電用電極と接するように前記支持要素から互いに異なる１つの前記受電用電極に向けて突き出ている
請求項１に記載の調光装置。
【請求項７】
２つの電極層に挟まれた調光層を含む調光部と、
１つの方向に沿って延びる回転軸を含む支持部であって、前記調光部が前記回転軸に沿って回転することが可能な状態で前記調光部を支持する前記支持部と、
前記支持部に含まれて電源に接続された２つの給電用端子と、
前記調光部に含まれる２つの受電用端子であって、前記各給電用端子に１つずつ対応付けられ、前記２つの給電用端子から受ける電圧を前記電極層間に印加する２つの受電用端子と、を備える
調光装置。
【請求項８】
前記支持部は、前記給電用端子を端部に１つずつ含む給電用インダクターを含み、
前記調光部は、前記受電用端子を端部に１つずつ含むとともに、前記給電用インダクターへの交流の供給によって電磁誘導が生じる受電用インダクターを含む
請求項７に記載の調光装置。
【請求項９】
前記調光部は、前記回転軸が通る筒状を有するとともに、前記回転軸に対する回転が可能な受電側筒部を含み、
前記支持部は、前記回転軸が通る筒状を有するとともに、前記受電側筒部に接する給電側筒部を含み、
前記受電用インダクターは、受電領域を区画する受電用巻線を含む受電用コイルであり、
前記給電用インダクターは、給電領域を区画する給電用巻線を含む給電用コイルであり、
前記受電用コイルは、前記受電領域を前記回転軸が通るように前記受電側筒部に位置し、
前記給電用コイルは、前記給電領域を前記回転軸が通るように前記給電側筒部に位置する
請求項８に記載の調光装置。
【請求項１０】
前記調光部は、前記回転軸が通る筒状を有するとともに、前記回転軸に対する回転が可能な受電側筒部を含み、
前記支持部は、前記回転軸が通る筒状を有するとともに、前記受電側筒部に接する給電側筒部を含み、
前記受電側筒部のうち、前記給電側筒部に接する端部が受電側端部であり、
前記給電側筒部のうち、前記受電側筒部に接する端部が給電側端部であり、
前記給電用端子は、前記回転軸を中心とする円環状を有するとともに、前記給電側端部にて露出し、
前記受電用端子は、前記回転軸に沿って延びるとともに、前記受電用端子の端部が前記受電側端部にて露出することによって、前記給電用端子に接続している
請求項７に記載の調光装置。
【発明の詳細な説明】
【技術分野】
【０００１】
本発明は、調光装置に関する。
【背景技術】
【０００２】
複数の液晶分子と樹脂とを含む調光層と、調光層を挟む２つの電極層とを備える調光フィルムが知られている。調光フィルムでは、電極層を通じて調光層に印加される電圧の大きさが変わることによって、調光層における透過率が変わる。こうした調光フィルムは、ガラス窓などに貼り付けられることによって、ガラス窓から室内に入射する光の光量を調節するためのフィルムとして、窓に沿って垂れ下がるブラインドやロールスクリーンなどの代わりに用いられている（例えば、特許文献１参照）。
【先行技術文献】
【特許文献】
【０００３】
【特許文献１】国際公開第２０１０／１００８０７号
【発明の概要】
【発明が解決しようとする課題】
【０００４】
ところで、調光フィルムは、１つの方向に延びる桟に沿って移動するガラス板を備える引き違い窓や、１つの方向に延びる回転軸を中心に回転する片開きドア、すなわち、調光フィルムを含む調光部と、調光部を支持する支持部とを備え、支持部の位置に対して調光部の位置が相対的に移動する調光装置にも用いられつつある。こうした調光装置では、調光フィルムに電圧を印加するための給電構造として、調光部に対して支持部が相対移動する構成に採用することが好適な給電構造が求められている。
【０００５】
本発明は、調光フィルムを含む調光部が調光部を支持する支持部に対して相対的に移動する調光装置への採用が好適な給電構造を有した調光装置を提供することを目的とする。
【課題を解決するための手段】
【０００６】
上記課題を解決するための調光装置は、２つの電極層に挟まれた調光層を含む調光部と、１つの方向に沿って延びる支持要素を含む支持部であって、前記調光部が前記支持要素に沿って前記支持部に対して相対的に移動することが可能な状態で前記調光部を支持する前記支持部と、前記支持部に含まれて電源に接続された２つの給電用端子と、前記調光部に含まれる２つの受電用端子であって、前記各給電用端子に１つずつ対応付けられ、前記２つの給電用端子から受ける電圧を前記電極層間に印加する２つの受電用端子と、を備える。
【０００７】
上記構成によれば、給電用端子が支持部に含まれ、かつ、受電用端子が調光部に含まれるため、調光部が１つの方向に沿って支持部に対して相対的に移動することに伴って、受電用端子と電極層とを接続する配線が、１つの方向に沿って伸縮することが抑えられる。それゆえに、電極層に電圧を印加するための給電構造に機械的な負荷が掛かることが抑えられる。このように、上記構成によれば、調光部が支持部に対して相対的に移動する調光装置への採用が好適な給電構造を有した調光装置を提供することができる。
【０００８】
上記調光装置において、前記支持部は、前記給電用端子を端部に１つずつ含む給電用インダクターを含み、前記調光部は、前記受電用端子を端部に１つずつ含むとともに、前記給電用インダクターへの交流の供給によって電磁誘導が生じる受電用インダクターを含んでもよい。
【０００９】
上記構成によれば、給電用端子と受電用端子とが機械的に接続されていない。そのため、調光部が１つの方向に沿って移動することに伴って、給電用端子と受電用端子との接続される箇所において摩擦が生じることが抑えられる。それゆえに、電極層に電圧を印加する給電構造に機械的な負荷が掛かることがより抑えられる。
【００１０】
上記調光装置において、前記給電用インダクターは、給電用コイルであり、前記受電用インダクターは、受電用コイルであり、前記給電用コイルは、前記支持要素に位置するとともに、前記支持部に対して相対移動する前記調光部に向けて開口し、前記受電用コイルは、前記給電用コイルと対向する開口を有してもよい。
【００１１】
上記構成によれば、給電用コイルの開口と受電用コイルの開口とが互いに対向しているため、調光部が１つの方向に沿って支持部に対して相対移動しても、給電用コイルの磁束のうち、受電用コイルを貫く磁束の本数が変わらない。それゆえに、１つの方向における調光部の位置が変わることに伴って、受電用コイルにおける誘導起電力が変わることを抑えることができる。
【００１２】
上記調光装置において、前記支持部は、前記支持要素を含む枠状体であり、前記調光層は、前記支持部が取り囲む領域において二次元に広がり、前記給電用インダクターは、前記支持部の周方向に沿って少なくとも１周巻かれた平面コイルであり、前記受電用インダクターは、前記調光層に沿って広がるとともに、少なくとも１周巻かれた平面コイルであってもよい。
【００１３】
上記構成によれば、給電用コイルが区画する領域の内部において、磁束の密度はほぼ一定である。そのため、調光部が１つの方向に沿って移動したときに、受電用コイルにおける誘導起電力が変わることが抑えられる。
【００１４】
上記調光装置において、前記２つの電極層のなかの一方が第１電極層であり、前記２つの電極層のなかの他方が第２電極層であり、前記調光部は、前記第１電極層と同一の平面上に位置する抵抗素子をさらに含み、前記２つの受電用端子には、前記調光層が前記第１電極層と前記第２電極層とに挟まれた直列回路と、前記抵抗素子との並列回路が接続されていてもよい。
【００１５】
上記構成によれば、受電用コイルに対して、調光層を含む直列回路と、抵抗素子とが並列に接続されているため、調光層に印加される電圧の安定化を図ることが可能となる。さらに、抵抗素子は、第１電極層と同一の平面上に位置する。そのため、抵抗素子を別途調光部に組み込むための新たな部材の点数を低減することが可能ともなる。また、抵抗素子を第１電極層とともに製造することも可能となる。
【００１６】
上記調光装置において、前記調光部は、前記１つの方向に沿って延びる開環筒状を有して前記支持要素を囲むとともに、前記支持要素に沿った移動が可能な状態で前記支持要素に支持される被支持要素を含み、前記各受電用端子は、前記１つの方向に沿って延びる帯状を有する受電用電極であり、前記各受電用電極は、前記被支持要素のうち、前記支持要素と対向する２つの面に１つずつ位置し、前記各給電用端子は、前記支持要素に位置するとともに、互いに異なる１つの前記受電用電極と接するように前記支持要素から互いに異なる１つの前記受電用電極に向けて突き出ていてもよい。
【００１７】
上記構成によれば、受電用端子が１つの方向に沿って延びるため、調光部が１つの方向に沿って移動しても、受電用端子と給電用端子とが接する間は、給電用端子から受電用端子に電力を供給することができる。
【００１８】
上記課題を解決するための調光装置は、２つの電極層に挟まれた調光層を含む調光部と、１つの方向に沿って延びる回転軸を含む支持部であって、前記調光部が前記回転軸に沿って回転することが可能な状態で前記調光部を支持する前記支持部と、前記支持部に含まれて電源に接続された２つの給電用端子と、前記調光部に含まれる２つの受電用端子であって、前記各給電用端子に１つずつ対応付けられ、前記２つの給電用端子から受ける電圧を前記電極層間に印加する２つの受電用端子と、を備える。
【００１９】
上記構成によれば、給電用端子が支持部に含まれ、かつ、受電用端子が調光部に含まれるため、調光部が回転軸を中心に回転することに伴って、受電用端子と電極層とを接続する配線が、回転方向に沿って捻れることが抑えられる。それゆえに、電極層に電圧を印加するための給電構造に機械的な負荷が掛かることが抑えられる。このように、上記構成によれば、調光部が支持部に対して相対的に移動する調光装置への採用が好適な給電構造を有した調光装置を提供することができる。
【００２０】
上記調光装置において、前記調光部は、前記回転軸が通る筒状を有するとともに、前記回転軸に対する回転が可能な受電側筒部を含み、前記支持部は、前記回転軸が通る筒状を有するとともに、前記受電側筒部に接する給電側筒部を含み、前記受電用インダクターは、受電領域を区画する受電用巻線を含む受電用コイルであり、前記給電用インダクターは、給電領域を区画する給電用巻線を含む給電用コイルであり、前記受電用コイルは、前記受電領域を前記回転軸が通るように前記受電側筒部に位置し、前記給電用コイルは、前記給電領域を前記回転軸が通るように前記給電側筒部に位置してもよい。
【００２１】
上記構成によれば、受電用コイルと給電用コイルとが、受電領域と給電領域とが対向するように１つの回転軸に通されているため、給電用コイルに対して受電用コイルが回転しても、受電用コイルを貫く磁束の本数が変わらない。そのため、受電用コイルにおける誘導起電力が受電用コイルの回転に伴って変わることが抑えられる。
【００２２】
上記調光装置において、前記調光部は、前記回転軸が通る筒状を有するとともに、前記回転軸に対する回転が可能な受電側筒部を含み、前記支持部は、前記回転軸が通る筒状を有するとともに、前記受電側筒部に接する給電側筒部を含み、前記受電側筒部のうち、前記給電側筒部に接する端部が受電側端部であり、前記給電側筒部のうち、前記受電側筒部に接する端部が給電側端部であり、前記給電用端子は、前記回転軸を中心とする円環状を有するとともに、前記給電側端部にて露出し、前記受電用端子は、前記回転軸に沿って延びるとともに、前記受電用端子の端部が前記受電側端部にて露出することによって、前記給電用端子に接続してもよい。
【００２３】
上記構成によれば、各給電用端子が回転軸を中心とする円環状を有するため、調光部が回転軸を中心に回転しても、給電用端子と受電用端子との接続を保つことができる。
【発明の効果】
【００２４】
本発明によれば、調光フィルムを含む調光部が調光部を支持する支持部に対して相対的に移動する調光装置への採用が好適な給電構造を有した調光装置を提供することができる。
【図面の簡単な説明】
【００２５】
【図１】調光装置を引き違い窓として具体化した第１実施形態における平面構造を示す平面図。
【図２】第１実施形態の引き違い窓が備える内側フィルムの断面構造を示す断面図。
【図３】第１実施形態における内側調光部の平面構造を示す平面図。
【図４】第１実施形態における上枠部の断面構造を示す断面図。
【図５】第１実施形態におけるサッシ上枠の断面構造を示す断面図。
【図６】第１実施形態における引き違い窓の作用を説明するための作用図。
【図７】第１実施形態の変形例におけるサッシ上枠の断面構造を示す断面図。
【図８】第１実施形態の変形例における引き違い窓の平面構造を示す平面図。
【図９】調光装置を引き違い窓として具体化した第２実施形態における平面構造を示す平面図。
【図１０】第２実施形態における受電用コイルの平面構造を示す平面図。
【図１１】第２実施形態における受電用コイルと内側フィルムとの断面構造を示す断面図。
【図１２】第２実施形態における第１導電層の平面構造を示す平面図。
【図１３】第２実施形態における第２電極層の平面構造を示す平面図。
【図１４】第２実施形態における引き違い窓の作用を説明するための等価回路。
【図１５】調光装置を引き違い窓として具体化した第３実施形態における引き違い窓を上面視した構造の一部を示す部分上面図。
【図１６】第３実施形態における窓枠の一部断面構造と内側調光部の一部断面構造とを拡大して示す部分拡大断面図。
【図１７】第３実施形態における給電用端子を上面視した構造を示す上面図。
【図１８】調光装置を片開きドアとして具体化した第４実施形態における片開きドアの平面構造を示す平面図。
【図１９】第４実施形態における片開きドアを上面視した構造を示す上面図。
【図２０】第４実施形態における給電機構の断面構造を示す断面図。
【図２１】第４実施形態における給電機構を上面視した構造を示す上面図。
【図２２】調光装置を片開きドアとして具体化した第５実施形態における片開きドアの平面構造を示す平面図。
【図２３】調光装置を片開きドアとして具体化した第６実施形態における給電用蝶番の断面構造を示す断面図。
【図２４】第６実施形態における給電側端子を上面視した構造を示す上面図。
【発明を実施するための形態】
【００２６】
［第１実施形態］
図１から図６を参照して、調光装置を引き違い窓として具体化した第１実施形態を説明する。以下では、引き違い窓の全体構成、内側フィルムの構成、窓枠の構成、サッシ上枠の構成、および、引き違い窓の作用を順番に説明する。
【００２７】
［引き違い窓の全体構成］
図１は、引き違い窓の平面構造を示し、図１では、各調光部が有する調光フィルムの位置を分かりやすくする目的で、調光フィルムにドットが付されている。
【００２８】
図１が示すように、引き違い窓１０は調光装置の一例であり、住宅などの壁部に形成された開口部に配置される建具である。引き違い窓１０は、調光部の一例である内側調光部１１、調光部の一例である外側調光部１２、および、支持部の一例である窓枠１３を備えている。
【００２９】
内側調光部１１は、光を透過するとともに矩形板状を有した内側ガラス１１ａと、内側ガラス１１ａを覆う調光フィルムの一例である内側フィルム１１ｂとを含んでいる。内側調光部１１はさらに、内側ガラス１１ａの縁を支持する内側サッシ１１ｃを含んでいる。内側フィルム１１ｂは、内側ガラス１１ａのうち、内側サッシ１１ｃの枠内に露出した部分の全体を覆っている。なお、内側フィルム１１ｂは、内側ガラス１１ａのうち、内側サッシ１１ｃの枠内に露出する部分の一部を覆っていてもよい。
【００３０】
内側サッシ１１ｃは、矩形枠状を有している。内側サッシ１１ｃは、１つの方向である第１方向Ｄ１に沿って延びるサッシ上枠１１ｃ１、サッシ上枠１１ｃ１と平行なサッシ下枠１１ｃ２、および、第１方向Ｄ１と直交する第２方向Ｄ２に沿って延びるとともに、サッシ上枠１１ｃ１とサッシ下枠１１ｃ２とに接続する２つのサッシ縦枠１１ｃ３から構成されている。
【００３１】
内側調光部１１は、受電用コイル１１ｄを含んでいる。受電用コイル１１ｄはサッシ上枠１１ｃ１に位置するとともに、受電用コイル１１ｄの外形は、第１方向Ｄ１に沿って延びる直線状を有している。第１方向Ｄ１における受電用コイル１１ｄの長さは、内側ガラス１１ａの長さ以上であり、かつ、サッシ上枠１１ｃ１の長さ以下であることが好ましい。なお、第１方向Ｄ１における受電用コイル１１ｄの長さは、内側ガラス１１ａの長さ未満であってもよい。
【００３２】
外側調光部１２は、外側ガラス１２ａと、調光フィルムの一例である外側フィルム１２ｂと、外側ガラス１２ａの縁を支持する外側サッシ１２ｃと、受電用コイル１２ｄとを含んでいる。外側調光部１２は、引き違い窓１０によって仕切られる空間に対する位置が内側調光部１１とは異なる一方で、他の構成についてはほぼ同様である。すなわち、外側調光部１２における外側ガラス１２ａ、外側フィルム１２ｂ、外側サッシ１２ｃ、および、受電用コイル１２ｄは、内側調光部１１における内側ガラス１１ａ、内側フィルム１１ｂ、内側サッシ１１ｃ、および、受電用コイル１１ｄに対応する。
【００３３】
窓枠１３は、矩形枠状を有している。窓枠１３は、第１方向Ｄ１に沿って延びる支持要素の一例である上枠部１３ａを含んでいる。窓枠１３は、内側調光部１１および外側調光部１２が上枠部１３ａに沿って窓枠１３に対して相対的に移動することが可能な状態で、内側調光部１１および外側調光部１２を支持している。窓枠１３は、上枠部１３ａ、下枠部１３ｂ、および、２つの縦枠部１３ｃとから構成されている。下枠部１３ｂは、第１方向Ｄ１に沿って上枠部１３ａと平行に延びている。各縦枠部１３ｃは、第１方向Ｄ１と直交する第２方向Ｄ２に沿って延びるとともに、上枠部１３ａと下枠部１３ｂとに接続している。
【００３４】
窓枠１３は、給電用インダクターの一例である給電用コイル１３ｄを含んでいる。給電用コイル１３ｄは、上枠部１３ａに位置するとともに、給電用コイル１３ｄの外形は、第１方向Ｄ１に沿って延びる直線状を有している。窓枠１３の枠内が内側調光部１１と外側調光部１２とによって覆われている状態において、第１方向Ｄ１における給電用コイル１３ｄの長さは、内側調光部１１が備える受電用コイル１１ｄの全体と、外側調光部１２が備える受電用コイル１２ｄの全体との総和以上であることが好ましい。
【００３５】
なお、第１方向Ｄ１における給電用コイル１３ｄの長さ、および、位置は、各調光部が第１方向Ｄ１に沿って移動する範囲の少なくとも一部において、各調光部の受電用コイルに電磁誘導を生じさせることが可能な長さ、および、位置であってもよい。
【００３６】
［内側フィルムの構成］
図２および図３を参照して内側フィルム１１ｂの構成を説明する。内側フィルム１１ｂと外側フィルム１２ｂとの間では、引き違い窓１０における位置が互いに異なる一方で、各フィルムにおける層構造は共通している。そのため以下では、内側フィルム１１ｂの構成を詳しく説明し、外側フィルム１２ｂの構成についての説明を省略する。
【００３７】
図２が示すように、内側フィルム１１ｂは、液晶分子を含む調光層２１と調光層２１を挟む２つの電極層２２とを備えている。２つの電極層２２は、第１電極層２２ａおよび第２電極層２２ｂである。内側フィルム１１ｂはさらに、光透過性を有する２つの基材２３を備えている。
【００３８】
２つの基材２３のうち、第１電極層２２ａに対して調光層２１とは反対側に位置する基材２３が、電気的な絶縁性を有する第１基材２３ａであり、第２電極層２２ｂに対して調光層２１とは反対側に位置する基材２３が、電気的な絶縁性を有する第２基材２３ｂである。第１基材２３ａは、第１電極層２２ａに接する面とは反対側の面である表面２３Ｓａを含み、第２基材２３ｂは、第２電極層２２ｂに接する面とは反対側の面である表面２３Ｓｂを含んでいる。
【００３９】
調光層２１は、調光層２１に印加される電圧の大きさに応じて調光層２１における光透過率が変わる特性を有している。調光層２１は、例えば、樹脂から形成されたポリマーネットワークと、ポリマーネットワークが有する空隙に液晶分子が位置する構成であってもよいし、樹脂から形成された層内に、液晶分子が分散した構成であってもよい。調光層２１は、例えば、電圧が印加された状態で第１の透過率を有し、電圧が印加されていない状態で第１の透過率よりも低い第２の透過率を有する特性を有している。
【００４０】
各電極層２２は、光透過性と導電性とを有している。各電極層２２は、例えば、酸化インジウムスズ（ＩＴＯ）から形成されてもよいし、導電性高分子から形成されてもよい。各基材２３は光透過性を有し、例えば、各種の樹脂から形成されるフィルムであればよい。
【００４１】
図３は、内側フィルム１１ｂの第１基材２３ａと対向する平面視における内側フィルム１１ｂの平面構造を示している。なお、図３では、内側フィルム１１ｂが備える受電用電極の位置を分かりやすくする目的で、受電用電極にドットが付されている。
【００４２】
図３が示すように、内側フィルム１１ｂは、各電極層２２に１つずつ接続される２つの受電用電極２４を含んでいる。各受電用電極２４は、内側調光部１１が有する各電極層２２に１つずつ固定されている。
【００４３】
２つの受電用電極２４のうち、第１電極層２２ａに接続される受電用電極２４が第１受電用電極２４ａであり、第２電極層２２ｂに接続される受電用電極２４が第２受電用電極２４ｂである。第１受電用電極２４ａは、第１基材２３ａの表面２３Ｓａに露出し、第２受電用電極２４ｂは、第２基材２３ｂの表面２３Ｓｂに露出している。
【００４４】
第１受電用電極２４ａおよび第２受電用電極２４ｂは、第１方向Ｄ１に沿って延びる直線状を有し、第１受電用電極２４ａは、第１方向Ｄ１における内側フィルム１１ｂの中央よりもサッシ上枠１１ｃ１寄りに位置し、第２受電用電極２４ｂは、第１方向Ｄ１における内側フィルム１１ｂの中央よりもサッシ下枠１１ｃ２寄りに位置している。
【００４５】
第１受電用電極２４ａは、受電用コイル１１ｄが有する２つの端部の一方に接続され、第２受電用電極２４ｂは、２つの端部の他方に接続されている。各受電用電極２４は、例えば銅などの導電物から形成されている。
【００４６】
なお、第１受電用電極２４ａおよび第２受電用電極２４ｂの各々は、受電用コイル１１ｄに接続された状態で、外部に露出していないことが好ましい。各受電用電極２４は、例えば、光透過性を有する絶縁層によって覆われていることが好ましい。
【００４７】
また、第１受電用電極２４ａは、第１電極層２２ａに接続し、かつ、第１基材２３ａの表面２３Ｓａに露出していれば、第１基材２３ａの表面２３Ｓａと対向する平面視における第１受電用電極２４ａの位置、および、第１受電用電極２４ａの延びる方向は、任意に変更することができる。第２受電用電極２４ｂは、第２電極層２２ｂに接続し、かつ、第２基材２３ｂの表面２３Ｓｂに露出していれば、第２基材２３ｂの表面２３Ｓｂと対向する平面視における第２受電用電極２４ｂの位置、および、第２受電用電極２４ｂの延びる方向は、任意に変更することができる。
【００４８】
［窓枠の構成］
図４を参照して窓枠１３の構成を説明する。
図４は、窓枠１３の上枠部１３ａにおける第１方向Ｄ１と直交する面に沿う断面構造を、内側サッシ１１ｃのサッシ上枠１１ｃ１における第１方向Ｄ１と直交する面に沿う断面構造の一部とともに示している。
【００４９】
図４が示すように、窓枠１３の上枠部１３ａは、給電用コイル１３ｄを保持する保持辺１３ａ１を含み、保持辺１３ａ１は第１方向Ｄ１において、上枠部１３ａの全体に位置している。窓枠１３は、例えば、アルミニウムから形成されてもよいし、各種の樹脂から形成されてもよい。なお、窓枠１３と、窓枠１３に配置される給電用コイル１３ｄとを電気的に絶縁する上で、窓枠１３は各種の樹脂から形成されることが好ましい。窓枠１３がアルミニウムから形成されるときには、窓枠１３と給電用コイル１３ｄとの間に、これらの間を電気的に絶縁するための絶縁部材が位置していればよい。
【００５０】
給電用コイル１３ｄは、上枠部１３ａの保持辺１３ａ１上に位置し、かつ、給電用コイル１３ｄの外形は、第１方向Ｄ１に沿って延びる直線状を有している。給電用コイル１３ｄは、給電用巻線３１と、給電用巻線３１が巻かれるボビン３２とから構成されている。給電用巻線３１は、ボビン３２に複数回巻き付けられ、給電用巻線３１の一方の端部である第１給電用端部３１ａと、給電用巻線３１の他方の端部である第２給電用端部３１ｂとが、交流電源Ｐに接続されている。
【００５１】
言い換えれば、第１給電用端部３１ａと第２給電用端部３１ｂとが、窓枠１３に含まれて交流電源Ｐに接続される２つの給電用端子の一例であり、窓枠１３は、給電用端子を端部に１つずつ含む給電用コイル１３ｄを含んでいる。なお、交流電源Ｐと給電用コイル１３ｄとの間には、交流電源Ｐと給電用コイル１３ｄとの接続と切断とを切り替えるスイッチを配置することができる。
【００５２】
ボビン３２は、第１方向Ｄ１に沿って延びる柱状を有し、例えば各種の樹脂などの絶縁体から形成されている。なお、ボビン３２の内部には、磁性体から形成されるコアが位置してもよく、これにより、コアを有しない構成と比べて、給電用コイル１３ｄにおける磁気抵抗を小さくすることができる。
【００５３】
給電用巻線３１の全体は、上枠部１３ａに沿って延び、かつ、内側調光部１１に向けて延びる円筒空間である給電領域３１ｃを区画している。給電用巻線３１は、ボビン３２の外周面のうち、上枠部１３ａからサッシ上枠１１ｃ１に向かう方向に沿って延びる円筒面に、螺旋状に巻き付けられている。すなわち、給電用コイル１３ｄは、窓枠１３に対して相対的に移動する内側調光部１１に向けて開口している。
【００５４】
上枠部１３ａはさらに、サッシ上枠１１ｃ１の移動を案内する案内レール１３ａ２を含んでいる。案内レール１３ａ２は第１方向Ｄ１に沿って延びる直線状を有している。案内レール１３ａ２は、案内レール１３ａ２に沿って内側調光部１１の移動を案内し、サッシ上枠１１ｃ１を支持している。
【００５５】
［サッシ上枠の構成］
図５を参照してサッシ上枠の構成を説明する。内側調光部１１と外側調光部１２との間では、引き違い窓１０における位置が互いに異なる一方で、各調光部におけるサッシ上枠の構造は共通している。そのため以下では、内側調光部１１の構成を詳しく説明し、外側調光部１２の構成についての説明を省略する。
【００５６】
図５は、内側調光部１１における第１方向Ｄ１と直交する面に沿う断面構造の一部を、窓枠１３の上枠部１３ａにおける第１方向Ｄ１と直交する面に沿う断面構造の一部とともに示している。
【００５７】
図５が示すように、サッシ上枠１１ｃ１は、上枠部１３ａの案内レール１３ａ２によって案内される被案内部ｃ１ａと、内側ガラス１１ａおよび内側フィルム１１ｂを保持する保持部ｃ１ｂとを備えている。被案内部ｃ１ａは第１方向Ｄ１に沿って延び、案内レール１３ａ２に沿う移動が可能な状態で、案内レール１３ａ２に支持されている。サッシ上枠１１ｃ１を含む内側サッシ１１ｃは、例えば、アルミニウムから形成されてもよいし、各種の樹脂から形成されてもよい。なお、内側サッシ１１ｃと、内側サッシ１１ｃに配置される受電用コイル１１ｄとを電気的に絶縁する上で、内側サッシ１１ｃは各種の樹脂から形成されることが好ましい。内側サッシ１１ｃがアルミニウムから形成されるときには、内側サッシ１１ｃと受電用コイル１１ｄとの間に、これらの間を電気的に絶縁するための絶縁部材が位置していればよい。
【００５８】
保持部ｃ１ｂは、第１方向Ｄ１に沿って延びるとともに、内側ガラス１１ａにおける第２方向Ｄ２の端部、および、内側フィルム１１ｂにおける第２方向Ｄ２の端部を保持するための保持空間を区画している。保持空間には、上述した受電用コイル１１ｄが位置している。受電用コイル１１ｄは、受電用端子を端部に１つずつ含むとともに、給電用コイル１３ｄへの交流の供給によって電磁誘導が生じる受電用インダクターである。
【００５９】
受電用コイル１１ｄは、受電用巻線４１とボビン４２とから構成され、ボビン４２は保持部ｃ１ｂが区画する保持空間に嵌め込まれている。ボビン４２は第１方向Ｄ１に沿って延びるとともに、第１方向Ｄ１に沿って延び、かつ、内側ガラス１１ａおよび内側フィルム１１ｂが嵌め込まれる溝を有している。ボビン４２は、例えば各種の樹脂などの絶縁体から形成されている。
【００６０】
受電用巻線４１は、ボビン４２に複数回巻き付けられ、受電用巻線４１の一方の端部である第１受電用端部４１ａが第１受電用電極２４ａに接続し、受電用巻線４１の他方の端部である第２受電用端部４１ｂが第２受電用電極２４ｂに接続している。第１受電用端部４１ａおよび第２受電用端部４１ｂが、受電用端子の一例である。第１受電用端部４１ａおよび第２受電用端部４１ｂは、各給電用端部に１つずつ対応付けられ、２つの給電用端部から受ける電圧を２つの電極層２２間に印加する。
【００６１】
受電用巻線４１は、上述した円筒空間である給電領域３１ｃの筒端と対向する筒端を有した円筒空間である受電領域４１ｃを区画している。受電用巻線４１は、ボビン４２のうち、サッシ上枠１１ｃ１から上枠部１３ａに向かう方向に沿って延びる面に、螺旋状に巻き付けられている。すなわち、受電用コイル１１ｄは、給電用コイル１３ｄと対向する開口を有している。
【００６２】
［引き違い窓の作用］
図６を参照して引き違い窓１０の作用を説明する。なお、以下では、内側調光部１１に関する作用を記載するが、上述したように外側調光部１２は内側調光部１１と同等の構成を有するため、外側調光部１２によっても内側調光部１１と同等の作用を得ることができる。また、図６では、説明の便宜上、引き違い窓１０のうち、給電用コイル１３ｄと受電用コイル１１ｄとのみが図示されている。
【００６３】
上述したように、引き違い窓１０では、給電用コイル１３ｄの第１給電用端部３１ａおよび第２給電用端部３１ｂが窓枠１３に位置し、かつ、受電用巻線４１の第１受電用端部４１ａおよび第２受電用端部４１ｂが内側調光部１１に位置している。そのため、内側調光部１１が第１方向Ｄ１に沿って窓枠１３に対して相対的に移動することに伴って、受電用電極２４と内側フィルム１１ｂとを接続する配線が、第１方向Ｄ１に沿って伸縮することが抑えられる。それゆえに、内側フィルム１１ｂに給電するための給電構造に機械的な負荷が掛かることが抑えられる。
【００６４】
これに対して、受電用端子が窓枠１３に位置する構成では、内側調光部１１が第１方向Ｄ１に沿って移動するたびに、受電用端子と内側フィルムとに接続された配線が伸縮する。これにより、配線と引き違い窓１０を構成する他の部材などとの間で摩擦が生じたり、内側調光部１１の移動によって配線が引っ張られたりすることによって、給電構造に機械的な負荷が掛かる。
【００６５】
また、給電用端子の一例である給電用巻線３１の端部と、受電用端子の一例である受電用巻線４１の端部とが機械的に接続されていない。そのため、内側調光部１１が第１方向Ｄ１に沿って移動することに伴って、給電用端子と受電用端子との接続される箇所において摩擦が生じることが抑えられる。それゆえに、内側フィルム１１ｂの電極層２２に電圧を印加する給電構造に機械的な負荷が掛かることがより抑えられる。
【００６６】
なお、内側フィルム１１ｂは、電圧の印加によって透過率が変わる調光層２１として、液晶分子を含む調光層２１を備え、液晶分子は交流電圧の印加によって配向性が変わる分子である。そのため、電磁誘導によって受電用コイル１１ｄに生じる電圧を内側フィルム１１ｂに印加することによって、内側フィルム１１ｂの透過率を変えることができる。
【００６７】
図６が示すように、給電用コイル１３ｄは複数の磁束Ｆを放出し、複数の磁束Ｆの少なくとも一部が受電用コイル１１ｄを貫くことによって、受電用コイル１１ｄにおいて誘導起電力が生じる。
【００６８】
上述したように、給電用コイル１３ｄと受電用コイル１１ｄとの間では、給電領域３１ｃと受電領域４１ｃとが対向している。言い換えれば、給電用コイル１３ｄの開口と受電用コイル１１ｄの開口とが互いに対向している。そのため、内側調光部１１が第１方向Ｄ１に沿って窓枠１３に対して相対移動しても、給電用コイル１３ｄの磁束Ｆのうち、受電用コイル１１ｄを貫く磁束Ｆの本数が変わらない。それゆえに、第１方向Ｄ１における内側調光部１１の位置が変わることに伴って、受電用コイル１１ｄにおける誘導起電力が変わることを抑えることができる。
【００６９】
以上説明したように、調光装置の第１実施形態によれば、以下に列挙する効果を得ることができる。
（１）各調光部が第１方向Ｄ１に沿って窓枠１３に対して相対的に移動することに伴って、受電用端子と調光フィルムとを接続する配線が、第１方向Ｄ１に沿って伸縮することが抑えられ、これにより、各調光フィルムに給電するための給電構造に機械的な負荷が掛かることが抑えられる。結果として、各調光部が窓枠１３に対して第１方向Ｄ１に沿って相対的に移動する構成への採用が好適な給電構造を有した引き違い窓１０を提供することができる。
【００７０】
（２）給電用端子と受電用端子とが機械的に接続されていないため、各調光部が第１方向Ｄ１に沿って移動することに伴って、給電用端子と受電用端子とが接続される箇所において摩擦が生じることが抑えられる。それゆえに、各電極層に電圧を印加する給電構造に機械的な負荷が掛かることがより抑えられる。
【００７１】
（３）各調光部が第１方向Ｄ１に沿って窓枠１３に対して相対移動しても、給電用コイル１３ｄの磁束Ｆのうち、各受電用コイルを貫く磁束Ｆの本数が変わらない。それゆえに、第１方向Ｄ１における各調光部の位置が変わることに伴って、各受電用コイルにおける誘導起電力が変わることを抑えることができる。
【００７２】
なお、上述した第１実施形態は、以下のように適宜変更して実施することができる。
・窓枠１３は、支持要素の一例であって、第１方向Ｄ１に沿って延びる上枠部１３ａを少なくとも備えていればよく、内側調光部１１および外側調光部１２の支持が可能であれば、下枠部１３ｂおよび各縦枠部１３ｃは省略されてもよい。なお、給電用コイル１３ｄは、下枠部１３ｂに位置してもよく、この構成では、下枠部１３ｂが支持要素の一例であるため、窓枠１３は、少なくとも下枠部１３ｂを備えていればよい。
【００７３】
・内側調光部１１の受電用コイル１１ｄ、および、外側調光部１２の受電用コイル１２ｄは、給電用コイル１３ｄと同様、磁性体から形成されたコアを備えてもよい。以下では、２つの受電用コイルのうち、内側調光部１１の受電用コイル１１ｄの構成のみを説明する。
【００７４】
図７が示すように、受電用コイル１１ｄは、第１受電用端部５１ａと第２受電用端部５１ｂとを含む受電用巻線５１、ボビン５２、および、コア５３を備えている。受電用巻線５１はボビン５２に複数回巻き付けられ、コア５３はボビン５２の内部に位置している。内側調光部１１は、ボビン５２とは別体の保持部材５４を備え、保持部材５４は、内側ガラス１１ａおよび内側フィルム１１ｂを保持するための溝を有している。なお、保持部材５４は、ボビン５２と一体に形成されてもよい。保持部ｃ１ｂが区画する保持空間には、受電用コイル１１ｄと保持部材５４とが位置し、受電用コイル１１ｄは、保持部材５４よりも上枠部１３ａ寄りに位置している。
【００７５】
受電用コイル１１ｄがコア５３を備える構成によれば、上述した給電用コイル１３ｄと同様、受電用コイル１１ｄにおける磁気抵抗を小さくすることができる。
【００７６】
・内側調光部１１の受電用コイル１１ｄは、受電用コイル１１ｄの全体が内側サッシ１１ｃのサッシ上枠１１ｃ１に位置しなくてもよい。また、外側調光部１２の受電用コイル１２ｄは、受電用コイル１２ｄの全体が外側サッシ１２ｃのサッシ上枠１２ｃ１に位置しなくてもよい。
【００７７】
すなわち、図８が示すように、内側調光部１１の受電用コイル６１は、内側サッシ１１ｃのサッシ上枠１１ｃ１とサッシ縦枠１１ｃ３とに跨るとともに、中心軸の延在方向が第２方向Ｄ２に沿う円筒空間を受電領域として有してもよい。また、外側調光部１２の受電用コイル６２は、外側サッシ１２ｃのサッシ上枠１２ｃ１とサッシ縦枠１２ｃ３とに跨るとともに、中心軸の延在方向が第２方向Ｄ２に沿う円筒空間を受電領域として有してもよい。
【００７８】
内側調光部１１において、受電用コイル６１が位置するサッシ縦枠１１ｃ３は、２つのサッシ縦枠１１ｃ３のうちのいずれであってもよく、また、外側調光部１２において、受電用コイル６２が位置するサッシ縦枠１２ｃ３は、２つのサッシ縦枠１２ｃ３のうちのいずれであってもよい。
【００７９】
こうした構成であっても、各受電用コイルが区画する受電領域は、給電用コイル１３ｄが区画する給電領域３１ｃと対向していることが好ましい。
【００８０】
・給電用コイル１３ｄへの電力の供給によって受電用コイルにおいて電磁誘導を生じさせることが可能であれば、各受電用コイルは、各サッシのサッシ下枠に位置してもよい。なお、各受電用コイルが各サッシのサッシ下枠に位置する構成では、給電用コイルが、窓枠１３の下枠部１３ｂに位置するとともに、受電用コイルを貫く磁束を第１方向Ｄ１の全体にわたり発生させることが好ましい。
【００８１】
・内側調光部１１および外側調光部１２の各々は、複数の受電用コイルを備えてもよい。こうした構成では、例えば、サッシ上枠に位置し、かつ、第１方向Ｄ１に沿って並ぶ複数の受電用コイルを備えてもよい。あるいは、内側調光部１１が、第１実施形態における受電用コイル１１ｄと、図８を参照して先に説明した受電用コイル６１を備え、また、外側調光部１２が、第１実施形態における受電用コイル１２ｄと、図８を参照して先に説明した受電用コイル６２とを備える構成でもよい。
【００８２】
そして、内側調光部１１や外側調光部１２の移動する経路上において、複数の受電用コイルのなかの１つが各調光部１１，１２に電力を供給する構成であればよい。この構成においては、内側調光部１１や外側調光部１２の移動する経路上において、複数の受電用コイルのなかのいずれか１つが給電用コイル１３ｄと対向するように、給電用コイル１３ｄは上枠部１３ａの一部に位置してもよい。
【００８３】
・窓枠１３は、複数の給電用コイルを備えてもよい。この場合には、例えば、上枠部１３ａに位置し、かつ、第１方向Ｄ１に沿って並ぶ複数の給電用コイルを備えてもよい。あるいは、下枠部１３ｂに位置し、かつ、第１方向Ｄ１に沿って並ぶ複数の給電用コイルを備えてもよい。あるいは、窓枠１３のうち、上枠部１３ａに位置する給電用コイルと、下枠部１３ｂに位置する給電用コイルとを備えてもよい。
【００８４】
・内側サッシ１１ｃにおける受電用コイルの位置と、外側サッシ１２ｃにおける受電用コイルの位置とは互いに異なってもよい。すなわち、例えば、内側サッシ１１ｃでは、サッシ上枠１１ｃ１に受電用コイル１１ｄが位置する一方で、外側サッシ１２ｃでは、サッシ上枠１２ｃ１とサッシ縦枠１２ｃ３とに跨るように受電用コイル６２が位置してもよい。
【００８５】
・各調光部は光を透過する部材として、上述したガラスから形成される板状体に限らず、光を透過することが可能な各種の樹脂などから形成された板状体を備えてもよい。
【００８６】
・第１実施形態の調光装置は、引き違い窓に限らず、例えば、室内用の引き戸に適用されてもよいし、室内と室外との境界である玄関用の引き戸として適用されてもよい。あるいは、第１実施形態の調光装置は、住宅などの建造物に限らず、各種の装置に適用されてもよい。要は、１つの方向に沿って延びる支持要素、および、支持要素に沿って移動する調光部を備える構成であれば、上述した調光装置を適用することが可能である。
【００８７】
・内側フィルム１１ｂおよび外側フィルム１２ｂは、第１基材と第１電極層との間、および、第２基材と第２電極層との間にそれぞれ配向層を備える構成でもよい。配向層は、調光層が含む液晶分子の配向を制御する層であり、調光層に電圧が印加されていない状態で、液晶分子を所定の方向に配向させる。配向層を備える構成では、調光層に電圧が印加されていない状態での第１の透過率が、調光層に電圧が印加された状態での第２の透過率よりも高い。
【００８８】
・調光層は二色性色素を含み、二色性色素に応じた色を有する構成であってもよい。
・内側調光部１１や外側調光部１２は、紫外線を吸収する機能を調光フィルム以外の構成に含めることも可能である。紫外線を吸収する機能を含む調光部であれば、調光フィルムの有する調光機能が紫外線の照射によって劣化することを抑えることが可能ともなる。
【００８９】
［第２実施形態］
図９から図１４を参照して、調光装置を引き違い窓として具体化した第２実施形態を説明する。第２実施形態の引き違い窓は、第１実施形態の引き違い窓と比べて、窓枠が備える給電用コイルの形状と、各調光部が備える受電用コイルの形状とが異なっている。そのため以下では、こうした相違点を詳しく説明する一方で、第１実施形態の引き違い窓と同等の構成には同一の符号を付すことによって、その詳しい説明を省略する。また以下では、給電用コイルの構成、受電用コイルと内側フィルムとの構成、および、引き違い窓の作用を順番に説明する。
【００９０】
［給電用コイルの構成］
図９を参照して給電用コイルの構成を説明する。
図９が示すように、引き違い窓７０が広がる平面と対向する平面視において、給電用コイル７１は、窓枠１３の周方向に沿って１周巻かれた平面コイルである。給電用コイル７１は、窓枠１３に位置する給電用巻線によって構成され、給電用巻線は、窓枠１３の周方向のほぼ全体に位置している。言い換えれば、給電用コイル７１は、窓枠１３の周方向におけるほぼ全体に沿う有端の矩形環状を有している。なお、給電用コイル７１の巻き数は、２以上であってもよく、給電用コイル７１の周りに形成される磁場の強度を高くする上では、給電用コイル７１の巻き数は、２以上であることが好ましい。
【００９１】
給電用コイル７１のうち、一方の端部が第１給電用端部７１ａであり、他方の端部が第２給電用端部７１ｂである。第１給電用端部７１ａおよび第２給電用端部７１ｂは、交流電源Ｐに接続されている。第１給電用端部７１ａおよび第２給電用端部７１ｂの各々は、給電用端子の一例である。
【００９２】
［受電用コイルと内側フィルムとの構成］
図１０から図１３を参照して、受電用コイルと内側フィルム１１ｂとの構成を説明する。図１０では、図示の便宜上、受電用コイルを保護する保護フィルムの図示が省略されている。また、内側フィルムと外側フィルムとの間では、引き違い窓７０における位置が互いに異なる一方で、調光フィルムへの給電に関わる構造は共通である。そのため以下では、内側フィルム、および、内側フィルムに位置する受電用コイルを詳しく説明する一方で、外側フィルム、および、外側フィルムに位置する受電用コイルの説明を省略する。
【００９３】
図１０が示すように、内側フィルム１１ｂが広がる平面と対向する平面視において、受電用コイル７２は、内側フィルム１１ｂに沿って広がるとともに、内側フィルム１１ｂが広がる平面に沿って複数回巻かれた平面コイルである。受電用コイル７２は、内側フィルム１１ｂに位置する受電用巻線によって構成されている。受電用巻線は、内側フィルム１１ｂが広がる平面と対向する平面視において、内側フィルム１１ｂの縁に沿うように複数回巻かれている。内側フィルム１１ｂのなかで、内側フィルム１１ｂの中央部は、受電用コイル７２の位置しない非コイル領域であり、内側フィルム１１ｂのなかで中央部よりも外側に位置する外縁部は、受電用コイル７２が位置するコイル領域である。
【００９４】
受電用コイル７２は、一方の端部である第１受電用端部７２ａと、他方の端部である第２受電用端部７２ｂとを有している。第１受電用端部７２ａおよび第２受電用端部７２ｂは、受電用端子の一例である。内側フィルム１１ｂが広がる平面と対向する平面視において、第１受電用端部７２ａは内側フィルム１１ｂにおける１つの隅部である第１隅部に位置し、第２受電用端部７２ｂは内側フィルム１１ｂの１つの隅部である第２隅部であって、第１隅部から延びる対角線上に位置する隅部に位置している。
【００９５】
なお、受電用コイル７２の巻き数は、１以上であればよいが、上述したように、受電用コイル７２の周りに形成される磁場の強度を高める上では、巻き数は２以上であることが好ましい。また、内側フィルム１１ｂには、２つ以上の受電用コイルが位置してもよい。
【００９６】
受電用コイル７２は、内側フィルム１１ｂと対向する平面視において、給電用コイル７１が区画する領域の内部に位置し、また、給電用コイル７１が区画する領域の内部において、磁束の密度はほぼ一定である。そのため、内側調光部１１が第１方向Ｄ１に沿って移動したときに、受電用コイル７２における誘導起電力が変わることが抑えられる。
【００９７】
図１１は、内側フィルム１１ｂと受電用コイル７２とから構成される積層体の概略的な断面構造を示している。
図１１が示すように、内側フィルム１１ｂは、調光層２１、２つの導電層７３、および、２つの基材２３を備えている。２つの導電層７３は第１導電層７３ａおよび第２電極層７３ｂであり、第１導電層７３ａに対して調光層２１とは反対側に位置する基材２３が第１基材２３ａであり、第２電極層７３ｂに対して調光層２１とは反対側に位置する基材２３が第２基材２３ｂである。
【００９８】
受電用コイル７２は、第１基材２３ａの表面２３Ｓａの縁に沿うように表面２３Ｓａに位置している。受電用コイル７２に対して第１基材２３ａとは反対側には、受電用コイル７２を保護する保護層７４が位置している。
【００９９】
図１２は、第１基材２３ａの表面２３Ｓａと対向する平面視における第１導電層７３ａの平面構造を示している。
図１２が示すように、第１導電層７３ａは、第１電極層７３ａ１と、第１電極層７３ａ１から電気的に絶縁された抵抗素子７３ａ２とから構成されている。抵抗素子７３ａ２は、第１導電層７３ａが広がる平面上にて第１電極層７３ａ１から一部が離間することによって、第１電極層７３ａ１とは異なる抵抗素子として機能する。すなわち、第１電極層７３ａ１と抵抗素子７３ａ２とは、同一の平面上に位置している。
【０１００】
抵抗素子７３ａ２は、第１抵抗端部ａ２１、第２抵抗端部ａ２２、第１抵抗端部ａ２１と第２抵抗端部ａ２２とを繋ぐ配線部ａ２３から構成されている。第１抵抗端部ａ２１は、抵抗素子７３ａ２において第１電極層７３ａ１と一体となる部位であり、受電用コイル７２の第１受電用端部７２ａに電気的に接続されている。第２抵抗端部ａ２２は、受電用コイル７２の第２受電用端部７２ｂに電気的に接続されている。すなわち、受電用コイル７２と抵抗素子７３ａ２とは、これらが直列に接続された閉回路を構成している。
【０１０１】
第１導電層７３ａが広がる平面と対向する平面視において、第１導電層７３ａは矩形状を有し、抵抗素子７３ａ２の第１抵抗端部ａ２１は、第１導電層７３ａの１つの隅部である第１隅部に位置し、第２抵抗端部ａ２２は、第１導電層７３ａにおける１つの隅部である第２隅部であって、第１隅部から延びる対角線上に位置する隅部に位置している。配線部ａ２３は所定の線幅であって、抵抗素子として機能する線幅を有している。なお、抵抗素子７３ａ２に印加される電圧は、第１電極層７３ａ１に印加される電圧とは異なる。そのため、抵抗素子７３ａ２が有する線幅は、抵抗素子７３ａ２に印加される電圧で調光層２１が駆動しない程度に細いことが好ましい。
【０１０２】
内側フィルム１１ｂの厚さ方向において、抵抗素子７３ａ２の第１抵抗端部ａ２１と第１受電用端部７２ａとが重なっている。また、内側フィルム１１ｂの厚さ方向において、抵抗素子７３ａ２の第２抵抗端部ａ２２と第２受電用端部７２ｂとが重なっている。
【０１０３】
第１導電層７３ａは、例えばＩＴＯから形成されている。第１導電層７３ａは、例えば、１枚のＩＴＯ膜が成膜された後、第１電極層７３ａ１と抵抗素子７３ａ２との境界がエッチングされることによって形成される。または、第１導電層７３ａは、例えば、第１電極層７３ａ１の形状に対応するマスク孔と、抵抗素子７３ａ２の形状に対応するマスク孔とを有するマスクを用いてＩＴＯ膜が成膜されることによって形成される。
【０１０４】
図１３は、第１基材２３ａの表面２３Ｓａと対向する平面視における第２電極層７３ｂの平面構造を示している。
図１３が示すように、第２電極層７３ｂは矩形状を有し、周方向の一部に他の部分よりも外側に突き出た第２電極接続部７３ｂ１を含んでいる。第２電極接続部７３ｂ１は、第２電極層７３ｂの１つの隅である。第２電極層７３ｂの外側には、第２電極層７３ｂの周方向におけるほぼ全体を取り囲む周回配線７５が位置している。周回配線７５は、第１周回端部７５ａおよび第２周回端部７５ｂを含んでいる。
【０１０５】
第１周回端部７５ａは、第２抵抗端部ａ２２に電気的に接続されている。第２周回端部７５ｂは、第２電極接続部７３ｂ１に重なることによって、第２電極接続部７３ｂ１に電気的に接続され、かつ、第２受電用端部７２ｂに電気的に接続されている。周回配線７５のうち、第２周回端部７５ｂ以外の部分は、第２電極層７３ｂから離間することによって、第２電極層７３ｂと電気的に絶縁されている。なお、第２周回端部７５ｂ、第２受電用端部７２ｂ、および、第２電極接続部７３ｂ１は、例えば、調光層２１の外側において、内側フィルム１１ｂの厚さ方向に沿って互いに重なることによって、互いに接続されている。
【０１０６】
［引き違い窓の作用］
図１４を参照して、引き違い窓７０の作用を説明する。
図１４が示すように、内側調光部１１の等価回路において、第１導電層７３ａの第１電極層７３ａ１、調光層２１、第２電極層７３ｂは、第１電極層７３ａ１に対応する第１抵抗８２、調光層２１に対応する容量８４、および、第２電極層７３ｂに対応する第２抵抗８３が、この順に接続された直列回路を構成する。内側調光部１１の等価回路は、受電用コイル７２に対応する受電用コイル８１に対して、この直列回路と抵抗素子７３ａ２に対応する第３抵抗８５とが並列に接続されている。すなわち、第１受電用端部７２ａと第２受電用端部７２ｂとには、直列回路と抵抗素子との並列回路が接続されている。
【０１０７】
ここで、上述した内側調光部の等価回路において第３抵抗８５としての抵抗素子７３ａ２が割愛された構成では、受電用コイル８１に対する負荷が、容量８４を含む直列回路、すなわち、容量性負荷のみとなる。結果として、受電用コイル８１における誘導起電力の誤差が、容量８４としての調光層２１に印加される電圧の誤差として大きく反映され、調光層２１に印加される電圧の不安定化を招くおそれがある。
【０１０８】
これに対して、上述した内側調光部１１では、受電用コイル８１に対して、容量８４を含む直列回路と、第３抵抗８５としての抵抗素子７３ａ２とが並列に接続されているため、これら並列回路に流れる電流の安定化を図ることが可能となる。ひいては、調光層２１に印加される電圧の安定化を図ることが可能となる。
【０１０９】
以上説明したように、調光装置の第２実施形態によれば、上述した（１）および（２）の効果に加えて、以下に列挙する効果を得ることができる。
（４）給電用コイル７１が区画する領域の内部において磁束の密度はほぼ一定であるため、内側調光部１１が第１方向Ｄ１に沿って移動したときに、受電用コイル７２における誘導起電力が変わることが抑えられる。
【０１１０】
（５）受電用コイル８１に対して、容量８４を含む直列回路と、第３抵抗８５とが並列に接続されているため、調光層２１に印加される電圧の安定化を図ることが可能となる。さらに、抵抗素子７３ａ２は、第１導電層７３ａの一部として、第１電極層７３ａ１と同一の平面上に位置する。そのため、抵抗素子７３ａ２を別途内側フィルム１１ｂに組み込むための新たな部材の点数を低減することが可能ともなる。また、抵抗素子７３ａ２を第１導電層７３ａの一部として第１電極層７３ａ１とともに製造することも可能となる。
【０１１１】
なお、上述した第２実施形態は、以下のように適宜変更して実施することができる。
・引き違い窓７０は、給電用コイル７１が窓枠１３に位置する平面コイルであり、かつ、受電用コイル７２が内側調光部１１に位置する平面コイルであれば、以下の構成であってもよい。すなわち、受電用コイル７２において、第１導電層７３ａが単一の第１電極層であり、周回配線７５が省略された構成でもよい。そして、受電用コイル７２の第１受電用端部７２ａが第１電極層に接続し、受電用コイル７２の第２受電用端部７２ｂが第２電極層７３ｂに接続した構成でもよい。こうした構成であっても、上述した（４）と同等の効果を得ることはできる。
【０１１２】
・第２実施形態にて説明した内側フィルム１１ｂの構成は、第１実施形態の内側調光部１１が備える内側フィルム１１ｂとして用いることができる。これにより、第１実施形態の引き違い窓１０においても、上述した（５）と同等の効果を得ることができる。
【０１１３】
［第３実施形態］
図１５から図１７を参照して、調光装置を引き違い窓として具体化した第３実施形態を説明する。第３実施形態の引き違い窓は、第１実施形態の引き違い窓と比べて、給電用端子と受電用端子とが直に接する点が異なっている。そのため以下では、こうした相違点を詳しく説明する一方で、第１実施形態と共通する構成には同一の符号を付すことによって、その詳しい説明を省略する。
【０１１４】
また以下では、引き違い窓の概略構成、および、給電用電極および受電用電極の構成を順番に説明する。この際、内側調光部１１と外側調光部１２との間では、引き違い窓における位置が互いに異なる一方で、各調光部が備える調光フィルムに電力を供給する給電構造は共通しているため、内側調光部１１を詳しく説明する一方で、外側調光部１２についての説明を省略する。
【０１１５】
［引き違い窓の概略構成］
図１５を参照して引き違い窓の概略構成を説明する。なお、図１５では、引き違い窓が備える給電用電極と受電用電極とを説明する便宜上、引き違い窓が備える構成の一部が省略されている。
【０１１６】
図１５が示すように、引き違い窓９０の上枠部１３ａは、第１方向Ｄ１に沿って延びる案内レール１３ａ２を含み、案内レール１３ａ２は、内側調光部１１が案内レール１３ａ２に沿う移動が可能な状態で内側調光部１１の被案内部ｃ１ａを支持している。
【０１１７】
内側調光部１１が備える各受電用端子は、第１方向Ｄ１に沿って延びる帯状を有する受電用電極９１である。各受電用電極９１は、被案内部ｃ１ａのうち、案内レール１３ａ２と対向する２つの面に１つずつ位置している。
【０１１８】
２つの受電用電極９１は、第１受電用電極９１ａおよび第２受電用電極９１ｂであり、第１受電用電極９１ａと第２受電用電極９１ｂとは、案内レール１３ａ２を挟んで互いに対向している。第１方向Ｄ１において、第１受電用電極９１ａおよび第２受電用電極９１ｂの各々は、被案内部ｃ１ａのほぼ全体にわたる長さを有している。
【０１１９】
窓枠１３が備える各給電用電極９２は、案内レール１３ａ２に位置するとともに、互いに異なる１つの受電用電極９１と接するように案内レール１３ａ２から１つの受電用電極９１に向けて突き出ている。給電用電極９２は給電用端子の一例である。
【０１２０】
２つの給電用電極９２は、第１給電用電極９２ａおよび第２給電用電極９２ｂである。第１給電用電極９２ａは、第１受電用電極９１ａに接するように第１受電用電極９１ａに向けて案内レール１３ａ２から突き出ている。これに対して、第２給電用電極９２ｂは、第２受電用電極９１ｂと接するように第２受電用電極９１ｂに向けて案内レール１３ａ２から突き出ている。
【０１２１】
第１方向Ｄ１における内側調光部１１の位置のうち、内側調光部１１が縦枠部１３ｃに接し、かつ、外側ガラス１２ａと重ならない状態で、窓枠１３の枠内を塞いでいるときの位置が、内側調光部１１の初期位置である。これに対して、内側調光部１１における初期位置からの変位量が最も大きい位置が、最大移動位置である。
【０１２２】
第１方向Ｄ１における第１給電用電極９２ａの位置は、内側調光部１１が初期位置から最大移動位置に移動するまでの間にわたって第１受電用電極９１ａに接する位置である。また、第１方向Ｄ１における第２給電用電極９２ｂの位置は、内側調光部１１が初期位置から最大移動位置に移動するまでの間にわたって第２受電用電極９１ｂに接する位置である。
【０１２３】
引き違い窓９０によれば、受電用電極９１が第１方向Ｄ１に沿って延びるため、内側調光部１１が第１方向Ｄ１に沿って移動しても、受電用電極９１と給電用電極９２とが接することによって、給電用電極９２から受電用電極９１に電力を供給することができる。
【０１２４】
［給電用電極および受電用電極の構成］
図１６および図１７を参照して、給電用電極９２および受電用電極９１の構成をより詳しく説明する。
図１６が示すように、上枠部１３ａは被固定辺１３ａ３を含み、被固定辺１３ａ３は、引き違い窓９０が適用される住宅などに固定される。案内レール１３ａ２は、被固定辺１３ａ３に固定されるとともに、第１方向Ｄ１に沿って延びる開環の矩形筒状を有している。案内レール１３ａ２は、被固定辺１３ａ３とともに所定の空間を区画している。
【０１２５】
上枠部１３ａは、例えばアルミニウムから形成され、第１給電用電極９２ａは、例えば各種の金属から形成されている。案内レール１３ａ２は、案内レール１３ａ２の壁部を貫通する支持孔を有し、第１給電用電極９２ａは支持孔に通されることによって、案内レール１３ａ２に支持されている。そのため、案内レール１３ａ２の内側面および外側面であって、第１給電用電極９２ａが接触しやすい部分には、上枠側絶縁層９３が位置している。
【０１２６】
被案内部ｃ１ａは、第１方向Ｄ１に沿って延びる開環筒状を有して案内レール１３ａ２を囲むとともに、案内レール１３ａ２に沿った移動が可能な状態で案内レール１３ａ２に支持されている。被案内部ｃ１ａは、開環の矩形筒状を有している。被案内部ｃ１ａの内側面のうち、第１方向Ｄ１に沿って延びる面であって、互いに対向し、かつ、案内レール１３ａ２と対向する２つの面のほぼ全体には、電極用絶縁層９４が１つずつ位置している。
【０１２７】
２つの電極用絶縁層９４のうち、一方の電極用絶縁層９４には第１受電用電極９１ａが位置し、他方の電極用絶縁層９４には第２受電用電極９１ｂが位置している。第１受電用電極９１ａは、内側フィルム１１ｂの第１受電用電極２４ａに接続し、第２受電用電極９１ｂは、内側フィルム１１ｂの第２受電用電極２４ｂに接続している。
【０１２８】
内側サッシ１１ｃは、例えばアルミニウムから形成されているため、各電極用絶縁層９４によって、第１受電用電極９１ａと内側サッシ１１ｃとが、あるいは、第２受電用電極９１ｂと内側サッシ１１ｃとが、互いに絶縁されている。
【０１２９】
保持部ｃ１ｂが区画する保持空間には、保持部材９５が位置している。保持部材９５は第１方向Ｄ１に沿って延びる溝を有し、溝において内側ガラス１１ａと内側フィルム１１ｂとが保持されている。保持部材９５は、絶縁体から形成されている。
【０１３０】
図１７を参照して、第１給電用電極９２ａの構成をより詳しく説明する。なお、内側フィルム１１ｂに接続される第２給電用電極９２ｂの構成、および、外側フィルム１２ｂに接続される２つの給電用電極の構成は、内側フィルム１１ｂに接続される第１給電用電極９２ａの構成と同等であるため、これらの構成の説明を省略する。
【０１３１】
図１７が示すように、第１給電用電極９２ａは、本体部９２ａ１を有し、本体部９２ａ１は、案内レール１３ａ２から第１受電用電極９１ａに向けて延びる棒状を有している。本体部９２ａ１は、第１受電用電極９１ａに接する先端部９２ａｄ、先端部９２ａｄとは反対側の基端部９２ａｐ、および、先端部９２ａｄと基端部９２ａｐとに挟まれる中央部９２ａｃから構成されている。
【０１３２】
基端部９２ａｐは、案内レール１３ａ２が区画する空間内に位置し、かつ、案内レール１３ａ２が有する支持孔よりも外側に張り出す大きさを有している。中央部９２ａｃは、先端部９２ａｄおよび基端部９２ａｐよりも細い棒状を有している。
【０１３３】
第１受電用電極９１ａは、中央部９２ａｃの周りに位置する付勢部材９２ａ２を備え、付勢部材９２ａ２は、案内レール１３ａ２から第１受電用電極９１ａに向かう方向に沿って、本体部９２ａ１を付勢している。これにより、内側調光部１１が第１方向Ｄ１に沿って移動しても、第１給電用電極９２ａが第１受電用電極９１ａに接触した状態が保たれやすくなる。
【０１３４】
以上説明したように、調光装置の第３実施形態によれば、上述した（１）の効果に加えて、以下に記載の効果を得ることができる。
（６）受電用電極９１が第１方向Ｄ１に沿って延びるため、内側調光部１１が第１方向Ｄ１に沿って移動しても、受電用電極９１と給電用電極９２とが接することによって、給電用電極９２から受電用電極９１に電力を供給することができる。
【０１３５】
なお、上述した第３実施形態は、以下のように適宜変更して実施することができる。
・第１方向Ｄ１において、受電用電極９１の長さは、被案内部ｃ１ａのうち、各受電用電極９１が位置する面の一部のみに沿う長さであってもよい。こうした構成であっても、内側調光部１１が第１方向Ｄ１に沿って移動するときに、受電用電極９１と給電用電極９２とが接している間では、給電用電極９２から受電用電極９１に電力を供給することはできる。
【０１３６】
・第１方向Ｄ１において、給電用電極９２の位置は、内側調光部１１の位置が初期位置から最大移動位置まで変わる間の一部において、給電用電極９２と受電用電極９１とが接することが可能な位置であってもよい。こうした構成であっても、内側調光部１１が第１方向Ｄ１に沿って移動するときに、給電用電極９２と受電用電極９１とが接している間では、給電用電極９２から受電用電極９１に電極を供給することはできる。
【０１３７】
［第４実施形態］
図１８から図２１を参照して、調光装置を片開きドアとして具体化した第４実施形態を説明する。第４実施形態の片開きドアは、第１実施形態の引き違い窓と比べて、調光部の移動に関わる構成が異なる。そのため以下では、こうした相違点を詳しく説明する一方で、第１実施形態の引き違い窓と同等の構成には同一の符号を付すことによって、その詳しい説明を省略する。また以下では、片開きドアの全体構成、および、給電機構の構成を順番に説明する。
【０１３８】
［片開きドアの全体構成］
図１８および図１９を参照して片開きドアの全体構成を説明する。
図１９が示すように、片開きドア１００は調光装置の一例であり、住宅などの壁部に形成された開口部に配置される建具である。片開きドア１００は、ドア本体１０１、回転軸１０２、ドア枠１０３、２つの取付機構１０４、および、給電機構１０５を備えている。
【０１３９】
ドア本体１０１は、光を透過するガラス窓１０１ａと、ガラス窓１０１ａを覆う調光フィルム１０１ｂとを含んでいる。ドア本体１０１はさらに、ガラス窓１０１ａの縁を支持する窓枠部１０１ｃを含んでいる。ガラス窓１０１ａおよび調光フィルム１０１ｂは矩形状を有し、窓枠部１０１ｃはガラス窓１０１ａおよび調光フィルム１０１ｂを取り囲む矩形枠状を有している。すなわち、ドア本体１０１は、第２方向Ｄ２に沿って延びる矩形状を有している。
【０１４０】
回転軸１０２は、第２方向Ｄ２に沿って延びるとともに、ドア本体１０１から離間している。ドア枠１０３は、ドア本体１０１、および、回転軸１０２を取り囲み、回転軸１０２を支持している。
【０１４１】
２つの取付機構１０４は、第１取付機構１０４ａおよび第２取付機構１０４ｂから構成されている。第１取付機構１０４ａと第２取付機構１０４ｂとは、回転軸１０２に通され、第２方向Ｄ２における位置が互いに異なっている。
【０１４２】
第１取付機構１０４ａは、ドア本体１０１に固定された回転側要素１０４ａ１と、ドア枠１０３に固定された固定側要素１０４ａ２とから構成されている。回転側要素１０４ａ１は、回転軸１０２を中心とする回転が可能な状態で回転軸１０２に通され、ドア本体１０１の開閉に伴って、回転軸１０２を中心に回転する。固定側要素１０４ａ２は、回転軸１０２を中心とする回転が可能な状態で回転軸１０２に通されてもよいし、回転軸１０２を中心とする回転ができない状態で回転軸１０２に通されてもよい。
【０１４３】
第２取付機構１０４ｂは、第１取付機構１０４ａと同様、回転側要素１０４ｂ１と固定側要素１０４ｂ２とから構成されている。第２取付機構１０４ｂの回転側要素１０４ｂ１は、第１取付機構１０４ａの回転側要素１０４ａ１と同等の構成であり、第２取付機構１０４ｂの固定側要素１０４ｂ２は、第１取付機構１０４ａの固定側要素１０４ａ２と同等の構成である。
【０１４４】
給電機構１０５は、ドア本体１０１に固定された回転側要素１０５ａと、ドア枠１０３に固定された固定側要素１０５ｂとから構成されている。回転側要素１０５ａは、回転軸１０２を中心とする回転が可能な状態で回転軸１０２に通され、ドア本体１０１の開閉に伴って、回転軸１０２を中心に回転する。固定側要素１０５ｂは、回転軸１０２を中心とする回転が可能な状態で回転軸１０２に通されてもよいし、回転軸１０２を中心とする回転ができない状態で回転軸１０２に通されてもよい。
【０１４５】
こうした片開きドア１００では、ドア本体１０１、各取付機構１０４の回転側要素、および、給電機構１０５の回転側要素１０５ａによって調光部の一例が構成され、回転軸１０２、ドア枠１０３、各取付機構１０４の固定側要素、および、給電機構１０５の固定側要素によって支持部の一例が構成されている。こうした支持部は、調光部が回転軸１０２に沿って回転することが可能な状態で調光部を支持している。
【０１４６】
図１９が示すように、片開きドア１００の上面視において、ドア枠１０３はドア本体１０１よりも突き出ている。回転軸１０２は、ドア本体１０１に対してドア枠１０３が突き出た側に位置している。取付機構１０４は、ドア本体１０１とドア枠１０３との両方に固定されることによって、回転軸１０２を中心とするドア本体１０１の回転を可能にしている。
【０１４７】
［給電機構の構成］
図２０および図２１を参照して、給電用コイルおよび受電用コイルの構成を説明する。
図２０は、回転軸１０２の中心軸Ａを通り、かつ、第２方向Ｄ２に沿って延びる面における給電機構１０５の断面構造を示している。
【０１４８】
図２０が示すように、回転側要素１０５ａは、回転軸１０２が通る筒状を有するとともに、回転軸１０２に対する回転が可能な受電側筒部１１１を含んでいる。回転側要素１０５ａは、受電側筒部１１１から突き出た受電側固定片１１２を備え、受電側固定片１１２は、固定部材１１３によってドア本体１０１に固定されている。受電側筒部１１１および受電側固定片１１２は、例えば各種の樹脂などの絶縁体から形成されている。
【０１４９】
受電側筒部１１１の内部には、受電用コイル１１４が位置している。受電用コイル１１４は、受電領域１１５ｃを区画する受電用巻線１１５と、受電用巻線１１５が巻き付けられるボビン１１６とから構成されている。ボビン１１６は、例えば各種の樹脂などの絶縁体から形成される。
【０１５０】
受電用コイル１１４は、受電領域１１５ｃを回転軸１０２が通るように受電側筒部１１１に位置している。すなわち、ボビン１１６は第２方向Ｄ２に沿って延びる筒状を有し、受電用巻線１１５は、ボビン１１６に対して第２方向Ｄ２に沿って螺旋状に複数回巻き付けられている。
【０１５１】
受電用巻線１１５は、第１受電用端部１１５ａおよび第２受電用端部１１５ｂを含み、第１受電用端部１１５ａが調光フィルム１０１ｂの第１受電用電極２４ａに接続し、第２受電用端部１１５ｂが調光フィルム１０１ｂの第２受電用電極２４ｂに接続している。第１受電用端部１１５ａおよび第２受電用端部１１５ｂが、受電用端子の一例である。
【０１５２】
固定側要素１０５ｂは、回転軸１０２が通る筒状を有するとともに、受電側筒部１１１に接する給電側筒部１２１を含んでいる。固定側要素１０５ｂは、給電側筒部１２１から突き出た給電側固定片１２２を備え、給電側固定片１２２は、図示されない固定部材によってドア枠１０３に固定されている。給電側筒部１２１および給電側固定片１２２は、例えば各種の樹脂などの絶縁体から形成されている。
【０１５３】
給電側筒部１２１の内部には、給電用コイル１２３が位置している。給電用コイル１２３は、給電領域１２４ｃを区画する給電用巻線１２４と、給電用巻線１２４が巻き付けられるボビン１２５とから構成されている。ボビン１２５は、例えば各種の樹脂などの絶縁体から形成されることが好ましい。
【０１５４】
給電用コイル１２３は、給電領域１２４ｃを回転軸１０２が通るように給電側筒部１２１に位置している。すなわち、ボビン１２５は、受電用コイル１１４のボビン１１６と同様、第２方向Ｄ２に沿って延びる筒状を有し、給電用巻線１２４は、ボビン１２５に対して第２方向Ｄ２に沿って螺旋状に複数回巻き付けられている。これにより、給電領域１２４ｃと受電領域１１５ｃとが対向している。
【０１５５】
給電用巻線１２４は、第１給電用端部１２４ａおよび第２給電用端部１２４ｂを含み、第１給電用端部１２４ａおよび第２給電用端部１２４ｂが交流電源Ｐに接続している。すなわち、第１給電用端部１２４ａおよび第２給電用端部１２４ｂが、支持部に含まれて交流電源Ｐに接続された２つの給電用端子の一例である。
【０１５６】
こうした給電機構１０５によれば、ドア本体１０１が、３つの回転側要素を通じて回転軸１０２を中心に回転することに伴って、受電用端子と調光フィルム１０１ｂとを接続する配線が、回転方向に沿って捻れることが抑えられる。それゆえに、調光フィルム１０１ｂに給電するための給電構造に機械的な負荷が掛かることが抑えられる。
【０１５７】
これに対して、受電用端子が支持部に位置する構成では、ドア本体１０１が回転軸１０２を中心に回転したときに、受電用端子は回転しないため、調光フィルム１０１ｂと受電用端子とを接続する配線が、回転方向に沿って捻れる。それゆえに、調光フィルム１０１ｂに給電するための給電構造に機械的な負荷が掛かる。
【０１５８】
また、受電用コイル１１４と給電用コイル１２３とが、受電領域１１５ｃと給電領域１２４ｃとが対向するように１つの回転軸１０２に通されているため、給電用コイル１２３に対して受電用コイル１１４が回転しても、受電用コイル１１４を貫く磁束の本数が変わらない。そのため、受電用コイル１１４における誘導起電力が受電用コイル１１４の回転によって変わることが抑えられる。
【０１５９】
図２１が示すように、給電機構１０５の回転側要素１０５ａと対向する平面視において、受電側固定片１１２に対して回転軸１０２が位置する側とは反対側には、受電側調節部１１７が位置している、受電側調節部１１７は、受電側固定片１１２が含む１つの面上に位置している。
【０１６０】
給電機構１０５の回転側要素１０５ａと対向する平面視において、給電側固定片１２２に対して回転軸１０２が位置する側とは反対側には、給電側調節部１２６が位置している。給電側調節部１２６は、給電側固定片１２２が含む１つの面上に位置している。
【０１６１】
給電機構１０５の直径が取付機構１０４の直径よりも小さいときには、給電機構１０５が受電側固定片１１２および給電側固定片１２２を備えることによって、給電機構１０５の中心軸を回転軸１０２の中心軸Ａに一致させた状態で、給電機構１０５を片開きドア１００に取り付けることができる。なお、給電機構１０５の直径が取付機構１０４の直径に等しいときには、受電側固定片１１２および給電側固定片１２２を省略することができる。
【０１６２】
上述した調光フィルム１０１ｂおよび給電機構１０５は、ドア枠１０３およびドア本体１０１から離間するとともに、第２方向Ｄ２に沿って延びる回転軸１０２を有した片開きドアに対して後付けすることができる。例えば、調光フィルムを有しない既設の片開きドア１００において、ドア本体１０１および回転軸１０２をドア枠１０３から取り外し、ドア本体１０１のガラス窓１０１ａに調光フィルム１０１ｂを貼り付ける。
【０１６３】
次いで、一方の取付機構１０４を回転軸１０２から取り外した後、給電機構１０５と、取り外した取付機構１０４を回転軸１０２に取り付ける。その後、ドア本体１０１を、回転軸１０２、取付機構１０４、および、給電機構１０５を介してドア枠１０３に取り付ける。そして、給電機構１０５と調光フィルム１０１ｂとを電気的に接続することによって、既設の片開きドア１００に対して、調光フィルム１０１ｂおよび給電機構１０５を後付けすることができる。
【０１６４】
以上説明したように、調光装置の第４実施形態によれば、上述した（２）の効果に加えて、以下に列挙する効果を得ることができる。
（７）ドア本体１０１が、３つの回転要素を通じて回転軸１０２を中心に回転することに伴って、受電用コイル１１４の第１受電用端部１１５ａと調光フィルム１０１ｂとを接続する配線、および、第２受電用端部１１５ｂと調光フィルム１０１ｂとを接続する配線が、回転方向に沿って捻れることが抑えられる。それゆえに、調光フィルム１０１ｂに給電するための給電構造に機械的な負荷が掛かることが抑えられる。
【０１６５】
（８）受電用コイル１１４と給電用コイル１２３とが、受電領域１１５ｃと給電領域１２４ｃとが対向するように１つの回転軸１０２に通されているため、給電用コイル１２３に対して受電用コイル１１４が回転しても、受電用コイル１１４を貫く磁束の本数が変わらない。そのため、受電用コイル１１４における誘導起電力が受電用コイル１１４の回転に伴って変わることが抑えられる。
【０１６６】
なお、上述した第４実施形態は、以下のように適宜変更して実施することができる。
・第４実施形態の調光フィルム１０１ｂの構成には、第２実施形態の内側フィルム１１ｂの構成を採用することができる。これにより、第４実施形態の片開きドア１００においても、上述した（５）と同等の効果を得ることができる。
【０１６７】
・ドア本体１０１は光を透過する部材として、上述したガラス窓１０１ａに限らず、光を透過することが可能な各種の樹脂などから形成された板状体を備えてもよい。
【０１６８】
・第２方向Ｄ２において、給電機構１０５は、２つの取付機構１０４に挟まれているが、第２方向Ｄ２において、２つの取付機構１０４と給電機構１０５とが並ぶ順番は適宜変更してもよい。
【０１６９】
・取付機構１０４の数は、ドア本体１０１の回転が可能な状態でドア本体１０１をドア枠１０３に支持させることが可能であれば、１つであってもよいし、３つ以上であってもよい。
【０１７０】
［第５実施形態］
図２２を参照して、調光装置を片開きドアとして具体化した第５実施形態を説明する。第５実施形態の片開きドアは、第４実施形態の片開きドアと比べて、ドア本体をドア枠に対して取り付けるための機構が異なっている。そのため以下では、こうした相違点を詳しく説明する一方で、第４実施形態と同等の構成には同一の符号を付すことによって、その詳しい説明を省略する。
【０１７１】
［片開きドアの全体構成］
図２２を参照して片開きドアの全体構成を説明する。
図２２が示すように、片開きドア１３０は、ガラス窓１０１ａ、調光フィルム１０１ｂ、および、窓枠部１０１ｃから構成されるドア本体１０１、ドア枠１０３、給電用蝶番１３１、および、取付用蝶番１３２を備えている。第２方向Ｄ２において、給電用蝶番１３１と取付用蝶番１３２とが並び、給電用蝶番１３１は取付用蝶番１３２よりも上方に位置している。
【０１７２】
給電用蝶番１３１は、回転軸１３１ａ、回転側要素１３１ｂ、および、固定側要素１３１ｃとから構成されている。回転側要素１３１ｂは、第２方向Ｄ２に沿って延びるとともに、回転軸１３１ａに通される筒状を有する部分を含んでいる。回転側要素１３１ｂは、回転軸１３１ａを中心とする回転が可能な状態で回転軸１３１ａに通され、かつ、ドア本体１０１の窓枠部１０１ｃに固定されている。回転側要素１３１ｂは、ドア本体１０１の開閉に伴って、回転軸１３１ａを中心に回転する。
【０１７３】
固定側要素１３１ｃは、第２方向Ｄ２に沿って延びるとともに、回転軸１３１ａに通される筒状を有する部分を含んでいる。固定側要素１３１ｃは、回転軸１３１ａを中心とする回転が可能な状態で回転軸１３１ａに通されてもよいし、回転軸１３１ａを中心とする回転ができない状態で回転軸１３１ａに通されてもよい。固定側要素１３１ｃは、ドア枠１０３に固定されている。
【０１７４】
回転軸１３１ａは、第２方向Ｄ２に沿って延びる柱状を有している。第２方向Ｄ２における回転軸１３１ａの長さは、第２方向Ｄ２における回転側要素１３１ｂの長さと、第２方向Ｄ２における固定側要素１３１ｃの長さとの合計にほぼ等しい。すなわち、回転軸１３１ａのほぼ全体が、回転側要素１３１ｂと固定側要素１３１ｃとによって覆われている。回転軸１３１ａは、例えば、鉄などの磁性体から形成されることが好ましい。
【０１７５】
回転側要素１３１ｂは、第４実施形態の給電機構１０５における回転側要素１０５ａと同等の構成である。すなわち、回転側要素１３１ｂの内部には、受電用コイルが位置している。また、固定側要素１３１ｃは、第４実施形態の給電機構１０５における固定側要素１０５ｂと同等の構成である。すなわち、固定側要素１３１ｃの内部には、給電用コイルが位置している。
【０１７６】
回転軸１３１ａが磁性体から形成されていれば、回転軸１３１ａが磁性体以外から形成されている構成と比べて、給電用コイルおよび受電用コイルにおける磁気抵抗を小さくすることができる。
【０１７７】
取付用蝶番１３２は、回転軸１３２ａ、回転側要素１３２ｂ、および、固定側要素１３２ｃから構成されている。回転側要素１３２ｂは、調光フィルム１０１ｂへの給電に関わる構成を有しない以外は、給電用蝶番１３１の回転側要素１３１ｂと同等の構成であり、固定側要素１３２ｃは、調光フィルム１０１ｂへの給電に関わる構成を有しない以外は、給電用蝶番１３１の固定側要素１３１ｃと同等の構成である。回転軸１３２ａは、給電用蝶番１３１の回転軸１３１ａと同等の構成であるが、磁性体から形成されていなくてもよい。
【０１７８】
こうした片開きドア１３０では、ドア本体１０１、給電用蝶番１３１の回転側要素１３１ｂ、および、取付用蝶番１３２の回転側要素１３２ｂによって調光部の一例が構成されている。また、片開きドア１３０では、給電用蝶番１３１の回転軸１３１ａと固定側要素１３１ｃ、取付用蝶番１３２の回転軸１３２ａと固定側要素１３２ｃ、および、ドア枠１０３によって支持部の一例が構成されている。
【０１７９】
以上説明した調光装置の第５実施形態によるように、ドア枠１０３にドア本体１０１を取り付けるための蝶番が、調光フィルム１０１ｂに電力を供給するための給電機構として機能してもよい。こうした構成であっても、上述した（７）および（８）と同等の構成を得ることができる。
【０１８０】
なお、上述した第５実施形態は、以下のように適宜変更して実施することができる。
・第５実施形態の調光フィルム１０１ｂの構成には、第２実施形態の内側フィルム１１ｂの構成を採用することができる。これにより、第５実施形態の片開きドア１３０においても、上述した（５）と同等の効果を得ることができる。
【０１８１】
・給電用蝶番１３１は、取付用蝶番１３２よりも下方に位置してもよい。すなわち、上述した実施形態における給電用蝶番１３１の位置に取付用蝶番１３２が位置し、取付用蝶番１３２の位置に給電用蝶番１３１が位置してもよい。
【０１８２】
・片開きドア１３０は、２つ以上の取付用蝶番１３２を備えてもよい。こうした構成では、給電用蝶番１３１と複数の取付用蝶番１３２とは、第２方向Ｄ２において任意の順番に並んでよい。
【０１８３】
［第６実施形態］
図２３および図２４を参照して、調光装置を片開きドアとして具体化した第６実施形態を説明する。第６実施形態の片開きドアは、第５実施形態の片開きドアと比べて、給電用蝶番の構造が異なる。そのため以下では、こうした相違点を詳しく説明する一方で、第５実施形態と同等の構成についての詳しい説明を省略する。また以下では、給電用蝶番の構成を説明する。
【０１８４】
［給電用蝶番の構成］
図２３および図２４を参照して、給電用蝶番の構成を説明する。
図２３が示すように、給電用蝶番１４１は、回転軸１４１ａ、回転側要素１４１ｂ、および、固定側要素１４１ｃから構成されている。回転側要素１４１ｂは、回転軸１４１ａが通る筒状を有するとともに、回転軸１４１ａに対する回転が可能な受電側筒部１５１を含んでいる。受電側筒部１５１は、第２方向Ｄ２に沿って並ぶ導電部分１５１ａと絶縁部分１５１ｂとから構成されている。受電側筒部１５１のうち、絶縁部分１５１ｂが、受電側筒部１５１において固定側要素１４１ｃに接する端部である受電側端部１５１ｂ１を含んでいる。
【０１８５】
回転側要素１４１ｂは、受電側筒部１５１から突き出た受電側固定片１５２を備え、受電側固定片１５２は、固定部材１５３によってドア本体１０１に固定されている。
【０１８６】
絶縁部分１５１ｂの内部には、第１受電用端子１５４ａと第２受電用端子１５４ｂとが位置している。第１受電用端子１５４ａおよび第２受電用端子１５４ｂの各々は、回転軸１４１ａに沿って延びている。第１受電用端子１５４ａの端部、および、第２受電用端子１５４ｂの端部が受電側端部１５１ｂ１にて露出することによって、各受電用端子は、互いに異なる１つの給電用端子に接続している。第１受電用端子１５４ａは、調光フィルムの第１受電用電極２４ａに接続し、第２受電用端子１５４ｂは、調光フィルムの第２受電用電極２４ｂに接続している。
【０１８７】
第１受電用端子１５４ａには、第１付勢部材１５５ａが接続し、第１付勢部材１５５ａは、第１受電用端子１５４ａを回転側要素１４１ｂから固定側要素１４１ｃに向かう方向に沿って付勢している。第２受電用端子１５４ｂには第２付勢部材１５５ｂが接続し、第２付勢部材１５５ｂは、第２受電用端子１５４ｂを回転側要素１４１ｂから固定側要素１４１ｃに向かう方向に沿って付勢している。
【０１８８】
固定側要素１４１ｃは、回転軸１４１ａが通る筒状を有するとともに、受電側筒部１５１に接する給電側筒部１６１を含んでいる。給電側筒部１６１は、第２方向Ｄ２に沿って並ぶ導電部分１６１ａと絶縁部分１６１ｂとから構成されている。給電側筒部１６１のうち、絶縁部分１６１ｂが受電側筒部１５１に接する端部である給電側端部１６１ｂ１を含んでいる。
【０１８９】
固定側要素１４１ｃは、給電側筒部１６１から突き出た給電側固定片１６２を備え、給電側固定片１６２は、固定部材１６３によってドア枠１０３に固定されている。
【０１９０】
絶縁部分１６１ｂの内部には、第１給電用端子１６４ａと第２給電用端子１６４ｂとが位置している。第１給電用端子１６４ａおよび第２給電用端子１６４ｂは、回転軸１４１ａを中心とする円環状を有し、第１給電用端子１６４ａが第２給電用端子１６４ｂよりも内側に位置している。第１給電用端子１６４ａおよび第２給電用端子１６４ｂは、それぞれ給電側端部１６１ｂ１にて露出し、第１給電用端子１６４ａが第１受電用端子１５４ａに接続し、第２給電用端子１６４ｂが第２受電用端子１５４ｂに接続している。第１給電用端子１６４ａおよび第２給電用端子１６４ｂは、交流電源Ｐに接続している。
【０１９１】
すなわち、図２４が示すように、給電側筒部１６１の給電側端部１６１ｂ１と対向する平面視において、第１給電用端子１６４ａは中心軸Ａを中心とする円環状を有し、第２給電用端子１６４ｂは中心軸Ａを中心とする円環状であって、第１給電用端子１６４ａよりも直径が大きい円環状を有している。言い換えれば、第１給電用端子１６４ａと第２給電用端子１６４ｂとは互いに同心の円環状を有している。
【０１９２】
このように、各給電用端子が回転軸１４１ａを中心とする円環状を有するため、回転側要素１４１ｂがドア本体１０１とともに回転軸１４１ａを中心に回転しても、給電用端子と受電用端子との接続を保つことができる。
【０１９３】
以上説明したように、調光装置の第６実施形態によれば、以下に記載の効果を得ることができる。
（９）各給電用端子が回転軸１４１ａを中心とする円環状を有するため、回転側要素１４１ｂがドア本体１０１とともに回転軸１４１ａを中心に回転しても、給電用端子と受電用端子との接続を保つことができる。
【０１９４】
なお、上述した第６実施形態は、以下のように適宜変更して実施することができる。
・受電側筒部１５１および給電側筒部１６１の各々は、導電部分１５１ａ，１６１ａを有しなくてもよく、受電側筒部１５１および給電側筒部１６１の各々の全体が、絶縁体から構成されてもよい。
【符号の説明】
【０１９５】
１０，７０，９０…引き違い窓、１１…内側調光部、１１ａ…内側ガラス、１１ｂ…内側フィルム、１１ｃ…内側サッシ、１１ｃ１，１２ｃ１…サッシ上枠、１１ｃ２…サッシ下枠、１１ｃ３，１２ｃ３…サッシ縦枠、１１ｄ，１２ｄ，６１，６２，７２，８１，１１４…受電用コイル、１２…外側調光部、１２ａ…外側ガラス、１２ｂ…外側フィルム、１２ｃ…外側サッシ、１３…窓枠、１３ａ…上枠部、１３ａ１…保持辺、１３ａ２…案内レール、１３ａ３…被固定辺、１３ｂ…下枠部、１３ｃ…縦枠部、１３ｄ，７１，１２３…給電用コイル、２１…調光層、２２…電極層、２２ａ，７３ａ１…第１電極層、２２ｂ，７３ｂ…第２電極層、２３…基材、２３ａ…第１基材、２３ｂ…第２基材、２３Ｓａ，２３Ｓｂ…表面、２４，９１…受電用電極、２４ａ，９１ａ…第１受電用電極、２４ｂ，９１ｂ…第２受電用電極、３１，１２４…給電用巻線、３１ａ，７１ａ，１２４ａ…第１給電用端部、３１ｂ，７１ｂ，１２４ｂ…第２給電用端部、３１ｃ，１２４ｃ…給電領域、３２，４２，５２，１１６，１２５…ボビン、４１，５１，１１５…受電用巻線、４１ａ，５１ａ，７２ａ，１１５ａ…第１受電用端部、４１ｂ，５１ｂ，７２ｂ，１１５ｂ…第２受電用端部、４１ｃ，１１５ｃ…受電領域、５３…コア、５４，９５…保持部材、７３…導電層、７３ａ…第１導電層、７３ａ２…抵抗素子、７３ｂ１…第２電極接続部、７４…保護層、７５…周回配線、７５ａ…第１周回端部、７５ｂ…第２周回端部、８２…第１抵抗、８３…第２抵抗、８４…容量、８５…第３抵抗、９２…給電用電極、９２ａ…第１給電用電極、９２ａ１…本体部、９２ａ２…付勢部材、９２ａｃ…中央部、９２ａｄ…先端部、９２ａｐ…基端部、９２ｂ…第２給電用電極、９３…上枠側絶縁層、９４…電極用絶縁層、１００，１３０…片開きドア、１０１…ドア本体、１０１ａ…ガラス窓、１０１ｂ…調光フィルム、１０１ｃ…窓枠部、１０２，１３１ａ，１３２ａ，１４１ａ…回転軸、１０３…ドア枠、１０４…取付機構、１０４ａ…第１取付機構、１０４ａ１，１０４ｂ１，１０５ａ，１３１ｂ，１３２ｂ，１４１ｂ…回転側要素、１０４ａ２，１０４ｂ２，１０５ｂ，１３１ｃ，１３２ｃ，１４１ｃ…固定側要素、１０４ｂ…第２取付機構、１０５…給電機構、１１１，１５１…受電側筒部、１１２，１５２…受電側固定片、１１３，１５３，１６３…固定部材、１１７…受電側調節部、１２１，１６１…給電側筒部、１２２，１６２…給電側固定片、１２６…給電側調節部、１３１，１４１…給電用蝶番、１３２…取付用蝶番、１５１ａ，１６１ａ…導電部分、１５１ｂ，１６１ｂ…絶縁部分、１５１ｂ１…受電側端部、１５４ａ…第１受電用端子、１５４ｂ…第２受電用端子、１５５ａ…第１付勢部材、１５５ｂ…第２付勢部材、１６１ｂ１…給電側端部、１６４ａ…第１給電用端子、１６４ｂ…第２給電用端子、Ａ…中心軸、Ｆ…磁束、Ｐ…交流電源、ａ２１…第１抵抗端部、ａ２２…第２抵抗端部、ａ２３…配線部、ｃ１ａ…被案内部、ｃ１ｂ…保持部。
【図１】
2018151417.tif 000003
【図２】
2018151417.tif 000004
【図３】
2018151417.tif 000005
【図４】
2018151417.tif 000006
【図５】
2018151417.tif 000007
【図６】
2018151417.tif 000008
【図７】
2018151417.tif 000009
【図８】
2018151417.tif 000010
【図９】
2018151417.tif 000011
【図１０】
2018151417.tif 000012
【図１１】
2018151417.tif 000013
【図１２】
2018151417.tif 000014
【図１３】
2018151417.tif 000015
【図１４】
2018151417.tif 000016
【図１５】
2018151417.tif 000017
【図１６】
2018151417.tif 000018
【図１７】
2018151417.tif 000019
【図１８】
2018151417.tif 000020
【図１９】
2018151417.tif 000021
【図２０】
2018151417.tif 000022
【図２１】
2018151417.tif 000023
【図２２】
2018151417.tif 000024
【図２３】
2018151417.tif 000025
【図２４】
2018151417.tif 000026